(57)【要約】【課題】コードあるいはケーブルが導出される開口部からの、小さな虫、塵埃などの浸入を防ぎ、機器の信頼性の向上とともに、扉体のない機種と変わらない取扱性を確保する。【解決手段】本体ケーシング３内に電源ユニット１２が収納され、その電源ユニット１２からの電源コード１２ａが、開口部３ｂを通じて外部に導出される。開口部３ｂに対し開閉可能に扉部２１Ａが設けられ、扉部２１Ａは、開口部３ｂを閉じる方向に付勢されている。開口部３ｂは、上部が開放され、両側部に案内溝３ｃ，３ｃが形成され、その案内溝に扉部２１Ａの両側部がスライド可能に係合している。扉部２１Ａは、下部の弓状バネ部２１Ｂによって開口部３ｂを閉じる方向に付勢されている。【選択図】  図９
2008148208.tif 000002
【特許請求の範囲】
【請求項１】
ケーシング内に機器ユニットが着脱可能に設けられ、前記機器ユニットをケーシング内部に収納した状態あるいは前記機器ユニットをケーシング外部に設置した状態で使用されるものであり、かつ前記機器ユニットをケーシング内部に収納した状態で使用される場合には前記機器ユニットからのコードあるいはケーブルが、前記ケーシングの開口部を通じて外部に導出される電子機器のケーシング構造であって、
前記開口部に対し開閉可能に扉部材が設けられ、前記扉部材が、前記開口部を閉じる方向に付勢されていることを特徴とする電子機器のケーシング構造。
【請求項２】
前記開口部は、上部が開放され、両側部に案内溝が形成された構成とされ、前記案内溝に前記扉部材の両側部がスライド可能に係合していることを特徴とする請求項１記載の電子機器のケーシング構造。
【請求項３】
前記扉部材は、下部にバネ部材が設けられ、前記バネ部材によって前記開口部を閉じる方向に付勢されていることを特徴とする請求項１又は２記載の電子機器のケーシング構造。
【請求項４】
前記扉部材とバネ部材とは、弾性材で、一体に形成されていることを特徴とする請求項３記載の電子機器のケーシング構造。
【請求項５】
前記開口部は、前記機器ユニットのケーブルあるいはコードの前記開放側への移動を規制する規制部が設けられていることを特徴とする請求項３または４記載の電子機器のケーシング構造。
【発明の詳細な説明】
【技術分野】
【０００１】
本発明は、電子機器のケーシング構造に関するものである。
【背景技術】
【０００２】
従来、ＣＡＴＶシステムにおいて、ＣＡＴＶ網を介してシステム加入者宅に伝送されるＴＶ信号のレベルが低い場合には、システム加入者宅に増幅装置を設置し、ＴＶ信号を増幅してＴＶ受像機に供給することが行われている。
【０００３】
そのような増幅装置は、一般に住宅の外壁部などに設置される。その設置場所近傍に商用交流電源のコンセントが設けられている場合は、増幅装置のケーシング内に電源ユニットを内蔵した状態で使用される。その一方、近くに商用交流電源のコンセントが設けられていない場合には、増幅装置から電源ユニットを分離して住宅内に設置し、増幅装置とＴＶ受像機とを接続する同軸ケーブルを利用して上記電源ユニットから増幅装置に電源を供給することが行われる。このように、電源ユニットを分離可能に構成したものが知られている（例えば、特許文献１参照）。
【０００４】
この特許文献１に記載のものでは、電源ユニットを内蔵した状態で使用する場合には、その電源ユニットからの電源コードが、ケーシングの開口部を通じて外部に導出される。一方、電源ユニットを分離して住宅内に設置する場合には、前記電源コードが導き出される開口部は、扉体が設けられていないので、開放状態になる。
【特許文献１】特開２００６−１１５３３２号公報（段落０００８，００２４及び図１，図５，図６）
【発明の開示】
【発明が解決しようとする課題】
【０００５】
前述したように、増幅装置は、一般に住宅の外壁部などに設置される前記電源ユニットを増幅装置から分離して住宅内に設置する場合には、前記開口部は開放された状態になるので、前記開口部を通じて、小さな虫、塵埃などの侵入するおそれがある。そのように、小さな虫、塵埃などが侵入すると、故障・誤動作の可能性が高くなる。
【０００６】
そのような電源ユニットに限らず、ケーシング内部に収納されて使用される場合と前記機器ユニットがケーシング外部に設置されて使用される場合とがある機器ユニットであって、前記機器ユニットがケーシング内部に収納されて使用される場合には前記機器ユニットからのコードあるいはケーブルが、ケーシングに設けた開口部を通じて外部に導出されるものについても同様な課題がある。
【０００７】
そこで、そのような開口部に扉体を設けることが考えられるが、前記開口部に扉体を単に設けるだけでは、電源ユニットあるいは機器ユニットを着脱する毎に扉体の開閉作業をしなければならず、取り扱いに不便であった。
【０００８】
この発明は、機器ユニットのコードあるいはケーブルが導出される開口部からの、小さな虫、塵埃などの侵入を防ぎ、機器の信頼性の向上とともに、扉体のない機種と変わらない取扱性を確保することを目的とする。
【課題を解決するための手段】
【０００９】
本発明は、電子機器のケーシング構造であって、(i)ケーシング内に機器ユニットが着脱可能に設けられ、前記機器ユニットをケーシング内部に収納した状態あるいは前記機器ユニットをケーシング外部に設置した状態で使用されるものであること、(ii)前記機器ユニットをケーシング内部に収納した状態で使用される場合には前記機器ユニットからのコードあるいはケーブルが、前記ケーシングの開口部を通じて外部に導出されることを前提とするものである。そして、請求項１の発明は、前記開口部に対し開閉可能に扉部材が設けられ、前記扉部材が、前記開口部を閉じる方向に付勢されていることを特徴とする。
【００１０】
このようにすれば、機器ユニットをケーシング外部に設置した状態で使用される場合には、機器ユニットからのコードあるいはケーブルが開口部から取り除かれ、扉部材が開口部を閉じる方向に付勢されているので、扉部材によって前記開口部が閉じられ、小さい虫、塵埃などの侵入が防止される。また、機器ユニットをケーシング内部に収納した状態で使用される場合には、機器ユニットからのコードあるいはケーブルを、上側から開口部に押し込むことで、前記コードあるいはケーブルの挿通も無理なく行うことができる。
【００１１】
請求項２に記載のように、前記開口部は、上部が開放され、両側部に案内溝が形成された構成とされ、前記案内溝に前記扉部材の両側部がスライド可能に係合している構成とすることができる。
【００１２】
このようにすれば、機器ユニットからのケーブルあるいはコードを、上側から開口部に押し込むことで、扉部材が案内溝に案内されつつスライド移動するので、扉部材の開閉をスムーズに行うことができる。
【００１３】
請求項３に記載のように、前記扉部材は、下部にバネ部材が設けられ、前記バネ部材によって前記開口部を閉じる方向に付勢されている構成とすることができる。
【００１４】
このようにすれば、バネ部材を利用することで、扉部材を、簡単に開口部を閉じる方向に付勢することができる。
【００１５】
請求項４に記載のように、前記扉部材とバネ部材とは、弾性材で、一体に形成されていることが望ましい。ここで、「弾性材で、一体に形成」とは、例えば、合成樹脂などの弾性材で、板状の扉部（扉部材）の下側に弓形形状の板バネ部（バネ部材）を連接した形状のものを一体成形することなどを意味する。
【００１６】
このようにすれば、安価であるし、取り扱いが容易である。
【００１７】
請求項５に記載のように、前記開口部は、前記機器ユニットのケーブルあるいはコードの前記開放側への移動を規制する規制部が設けられている構成とすることが望ましい。
【００１８】
このようにすれば、前記機器ユニットのケーブルあるいはコードの前記開放側への移動を規制する規制部が設けられているので、バネ部材のバネ力によって、機器ユニットのケーブルあるいはコードが開口部から飛び出すことがない。
【発明の効果】
【００１９】
本発明は、以上のように、機器ユニットのケーブルあるいはコードを挿通する開口部に扉部材を設け、その扉部材を、前記開口部を閉じる方向に付勢するように構成しているので、前記機器ユニットをケーシング外部に設置した状態で使用される場合には、扉部材によって開口部を閉じ、小さい虫、塵埃などの侵入を防止することができる。
【発明を実施するための最良の形態】
【００２０】
以下、本発明の実施の形態を図面に沿って説明する。なお、この実施の形態は、ＣＡＴＶシステムにおいて、システム加入者宅に伝送されるＴＶ信号のレベルが低い場合に、システム加入者宅に設置される、特開２００６−１１５３３２号公報に記載されたものと同様の電源ユニット分離型の増幅装置に適用したものである。
【００２１】
図１は本発明の実施の形態に係る電源ユニット分離型の増幅装置（電子機器）を、蓋体を開放した状態で示す斜視図、図２は同装置の分解斜視図、図３は図２のＡ部の拡大図、図４は図３のＢ方向矢視図である。
【００２２】
図１に示すように、電源ユニット分離型の増幅装置１のケーシング２は、合成樹脂製で、前面側が開放された直方体の箱形形状の本体ケーシング３と、その前面開放部分を開閉可能に閉塞する蓋体４とを有する。この蓋体４の上側左右側部には取付フランジ部４ａが設けられ、この取付フランジ部４ａを介して蓋体４は本体ケーシング３の上側左右側部に回転可能に支持されるようになっている。また、蓋体４の下側中央部に、被係止孔４ｂａを有する被係止部４ｂが設けられ、この被係止部４ｂの被係止孔４ｂａが、本体ケーシング３の下部中央に設けられた係止部３ａに係脱可能に係止されるようになっている。
【００２３】
本体ケーシング３の内部に、高周波信号を増幅する増幅ユニット１１と、交流電源から直流電圧を得る電源ユニット１２（機器ユニット）とが並んで着脱可能に設けられている。電源ユニット１２には、外部から電力を供給するための電源コード１２ａが設けられている。なお、増幅装置１は、特開２００６−１１５３３２号公報に記載されたものと同様に、電源ユニット１２をケーシング２外部に設置した状態で使用される場合と電源ユニット１２をケーシング２内に収納した状態で使用される場合とがあるものである。
【００２４】
本体ケーシング３の側壁部３ｇ（取付状態で下面となる側面部で、係止部３ａが設けられている部分）には、電源ユニット１２からの電源コード１２ａが導き出される切り欠き形状の開口部３ｂが形成されている。この開口部３ｂに対して、扉体２１の扉部２１Ａが開閉可能に設けられている。
【００２５】
扉体２１は、図５に示すように、合成樹脂などの弾性材で形成され、上部の扉部２１Ａ（扉部材）の下部に、バネ部材としての弓状バネ部２１Ｂが一体的に設けられてなる。扉部２１Ａは、開口部３ｂを開閉する矩形板状の本体部２１Ａａと、この本体部２１Ａａの下端に連接されそれに直交する方向に延びる接続部２１Ａｂとを有する。この接続部２１Ａｂが接続される弓状バネ部２１Ｂは、扉部よりも板厚が薄い弓形形状の板バネ部で、上側傾斜部２１Ｂａと、下側傾斜部２１Ｂｂと、それらを連接する中間湾曲部２１Ｂｃとを有する。上側傾斜部２１Ｂａは、扉部２１Ａ（接続部２１Ａｂ）の下端に一端（上端）が連接され前記一端から離れるに従って下方に位置するように傾斜している。下側傾斜部２１Ｂｂは、開口部３ｂが設けられている側壁部３ｇの下端と底壁部３ｈの接合部分であるコーナ部Ｓに一端（下端）が当接し前記一端から離れるに従って上方に位置するように傾斜している。そして、上側及び下側傾斜部２１Ｂａ，２１Ｂｂの他端が中間湾曲部２１Ｂｃの各端部に連接されている。
【００２６】
この弓状バネ部２１Ｂのバネ機能によって扉体２１の扉部２１Ａが開口部３ｂを閉じる方向に常時付勢されている。また、扉体２１の両側には、本体ケーシング３の外側壁３ｅとそれに平行に延びる内壁部３ｆとが配置され、幅方向において移動しないように規制されている。また、弓状バネ部２１Ｂ（上側傾斜部Ｂａ）の上端が、開口部３ｂの下端部３ｍ（図４及び図８（ｂ）参照）に当接することで、扉部２１Ａが開口部３ｂより上方に飛び出さないように規制されている。なお、弓状バネ部２１Ｂ（下側傾斜部２１Ｂｂ）の下端部は、本体ケーシング３の底面に、例えば接着剤などにて固定してもよい。
【００２７】
また、開口部３ｂは、上部が開放され、両側部に案内溝３ｃ，３ｃが形成される形状とされる。この案内溝３ｃ，３ｃに扉部２１Ａの両側部がスライド可能に係合している。また、開口部３ｂの開放側には、電源コード１２ａが外れないように開放側への移動を規制する規制部３ｄが設けられている。
【００２８】
よって、電源コード１２ａが挿通されていないときには、図３及び図４に示すように、扉体２１の扉部２１Ａによって開口部３ｂは閉じられ、小さい虫、塵埃などの侵入が防止される。
【００２９】
また、電源コード１２ａを、上側から開口部３ｂに押し込むことで扉体２１の扉部２１Ａが弓状バネ部２１Ｂのバネ力に抗して下方にスライド移動するので、図６及び図７に示すように、開口部３ｂへの電源コード１２ａの挿通も無理なく行うことができる。このとき、開口部３ｂの両側部には案内溝３ｃ，３ｃが設けられているので、この案内溝３ｃ，３ｃに案内されて、扉部２１Ａは、位置ズレすることなく、スライド移動する。
【００３０】
さらに、弓状バネ部２１Ｂの下端部は、側壁部３ｇの下端と底壁部３ｈの接合部分であるコーナ部Ｓに当接した状態にある。そのため、扉部２１Ａを開閉する際には、前記当接した状態を維持して、扉部２１Ａのスライド移動に伴い弓状バネ部２１Ｂが図８（ａ）（ｂ）及び図９（ａ）（ｂ）に示すように変形するので、この点から扉部２１Ａのスライド移動は安定して行われる。
【００３１】
上記のように構成すれば、電源コード１２ａの挿通前は、図８（ａ）（ｂ）に示すように、扉体２１の扉部２１Ａによって開口部３ｂは閉じられ、小さい虫、塵埃などの侵入が防止される。
【００３２】
電源コード１２ａを挿入する際には、前述したように電源コード１２ａを上側から開口部３ｂに押し込むことで、扉部２１Ａが案内溝３ｃ，３ｃによって下方に案内されつつ、弓状バネ部２１Ｂのバネ力に抗して、ストローク量α（図５参照）だけスライド移動する。このとき、扉体２１の弓状バネ部２１Ｂは、図８（ｂ）に示す状態から図９（ｂ）に示す状態に変化する。つまり、扉部２１Ａの下降に伴い、下側傾斜部２１Ｂｂがコーナ部Ｓに当接する前記一端を回転中心として下方に変位するとともに両傾斜部２１Ｂａ，２１Ｂｂ同士が接近して、弓状バネ部２１Ｂの高さが低くなるように変形する。
【００３３】
一方、電源コード１２ａが開口部３ｂから取り除かれると、弓状バネ部２１Ｂによって扉部２１Ａが開口部３ｂを閉じる方向に付勢されているので、扉部２１Ａによって開口部３ｂが閉じられる。これにより、図８（ａ）（ｂ）に示す、電源コード１２ａを挿通する前の状態に戻される。このとき、弓状バネ部２１Ｂ（上側傾斜部Ｂａ）の上端が、開口部３ｂの下端部３ｍ（図４及び図８（ｂ）参照）に当接し、扉部２１Ａが開口部３ｂより上方に飛び出すのが防止される。
【００３４】
このように、弓状バネ部２１Ｂの弾性を利用して、扉部２１Ａの開閉を行っているので、作業者が扉部２１Ａを開閉するという作業は必要なくなる。なお、電源コード１２ａを挿入すると、規制部３ｄにて電源コード１２ａの移動が規制されるので、扉体２１の弓状バネ部２１Ｂのバネ機能によって、電源コード１２ａが開口部３ｂから飛び出すことはない。
【００３５】
特に、扉部２１Ａを合成樹脂などの弾性材で形成しているので、扉部を金属材で形成する場合とは異なり、開口部３ｂに挿通される電源コード１２ａの外周面を傷つけるのを防止することができる。しかも、バネ部材としての弓状バネ部２１Ｂも合成樹脂などの弾性材で形成しているので、扉部２１Ａを付勢するバネ力があまり強くならず、この点からも電源コード１２ａの外周面を傷つけるのを防止する上で有利に構成されている。
【００３６】
前記実施の形態では、扉部材としての扉部２１Ａとバネ部材としての弓状バネ部２１Ｂとを一体に形成し、扉体２１としているが、それらを弾性材で別体にすることも可能である。この場合、扉部材とバネ部材とを異なる材料で、例えば扉部材を弾性材で、バネ部材を金属材で形成してもよい。また、バネ部材として、板バネ機能を発揮する弓状バネ部に代えて、コイルスプリングなどを用いることも可能である。
【００３７】
前記実施の形態では、機器ユニットが電源ユニットである電子機器について説明しているが、本発明はそれに制限されるものではなく、電子機器が、ケーシング内に機器ユニットが着脱可能に設けられ、前記機器ユニットをケーシング内部に収納した状態あるいは前記機器ユニットをケーシング外部に設置した状態で使用されるものであり、かつ前記機器ユニットをケーシング内部に収納した状態で使用される場合には前記機器ユニットからのコードあるいはケーブルが、前記ケーシングの開口部を通じて外部に導出されるものについても、同様に適用することができる。
【図面の簡単な説明】
【００３８】
【図１】本発明の実施の形態に係る電源ユニット分離型の増幅装置（電子機器）を、蓋体を開放した状態で示す斜視図である。
【図２】同装置の分解斜視図である。
【図３】図２のＡ部の拡大図である。
【図４】図３のＢ方向矢視図である。
【図５】扉体の形状の変化の説明図である。
【図６】図１のＣ部拡大図である。
【図７】図６のＤ方向矢視図である。
【図８】（ａ）は開口部を閉じた状態の底面図，（ｂ）は図８（ａ）のＡ−Ａ線における断面図である。
【図９】（ａ）は開口部を開放した状態の底面図，（ｂ）は図９（ａ）のＢ−Ｂ線における断面図である。
【符号の説明】
【００３９】
１    電源ユニット分離型の増幅装置（電子機器）
３    本体ケーシング
３ｂ    開口部
３ｃ    案内溝
３ｄ    規制部
１２    電源ユニット
１２ａ    電源コード
２１    扉体
２１Ａ    扉部（扉部材）
２１Ｂ    弓状バネ部（バネ部材）
【図１】
2008148208.tif 000003
【図２】
2008148208.tif 000004
【図３】
2008148208.tif 000005
【図４】
2008148208.tif 000006
【図５】
2008148208.tif 000007
【図６】
2008148208.tif 000008
【図７】
2008148208.tif 000009
【図８】
2008148208.tif 000010
【図９】
2008148208.tif 000011